(57)【特許請求の範囲】
【請求項１】
側桁に支持される段板を有する階段において、上下に隣接する前記段板間における上段側の段板の下に、外部材から構成される収納部が配置されて前記側桁に支持され、
前記収納部はその上段側の前記段板に、その段板との間の間隔を調整する間隔調整材を介して接合されていることを特徴とする収納部付き階段。
【請求項２】
上下に隣接する前記段板間に跨り、前記側桁に支持されるフレームが配置され、このフレームの背面側に前記収納部が位置していることを特徴とする請求項１に記載の収納部付き階段。
【請求項３】
上下に隣接する前記段板間に跨って蹴込み板が配置され、この蹴込み板の背面に前記フレームが一体化していることを特徴とする請求項２に記載の収納部付き階段。
【請求項４】
前記収納部の内部に内箱が出入り自在に収納されていることを特徴とする請求項１乃至請求項３のいずれかに記載の収納部付き階段。
【請求項５】
前記フレームの、前記内箱の収納位置に開口が形成され、この開口から前記内箱が出入り自在とされていることを特徴とする請求項４に記載の収納部付き階段。
【請求項６】
前記内箱の、前記フレーム側の端面に、前記フレームの開口を閉塞する前板が接合されていることを特徴とする請求項５に記載の収納部付き階段。
【発明の詳細な説明】
【技術分野】
【０００１】
本発明は段板の底面側に収納のための空間を備えた収納部付き階段に関するものである。
【背景技術】
【０００２】
一般に、階段背面の空間は高さが一定でないことから、居室としての利用可能性が低いため、何らかの収納の目的で利用されることが多い（特許文献１〜４参照）。
【０００３】
段板が側桁（側板）に支持される形式の階段では、階段背面の空間の高さが段板毎に相違するため、空間を有効に活用する上で、高さの差を利用することも行われる（特許文献３参照）。但し、高さ毎に区分された空間の大きさが不規則になり、階段の側面に空間を閉じる蓋を設置するとしても、階段の見栄えが極端に低下する不利益がある。
【０００４】
一組の蹴込み板と段板とで区画される空間を収納部として利用した場合には（特許文献４参照）、収納部が段板の下に配置される上、収納のための空間の大きさが統一されるため、収納部の存在による階段の見栄えへの影響が回避される。また収納部が蹴込み板の背面に配置されることで、階段背面の空間を無駄なく、有効に活用できる利点もある。
【０００５】
【特許文献１】特開平５−２４８０８０号公報（請求項１、段落０００７〜００１３、図１、図２）
【特許文献２】特開２００１−１２３６２４号公報（請求項１、段落００１８〜００２７、図１〜図４）
【特許文献３】特開２００３−２３９４８３号公報（請求項１、段落００１６〜００３６、図１〜図８）
【特許文献４】特開２００５−９０９２号公報（請求項１、段落００４０〜００４２、００５５〜００６５、図１、図２）
【発明の開示】
【発明が解決しようとする課題】
【０００６】
段板が階段両側の側桁に支持される場合、蹴込み板は必ずしも段板を支持する必要がないため、階段の必須の要素にはならない。蹴込み板は上下の段板間に跨って配置されることで、上段側の段板の曲げ変形（へこみ）を防止する機能と、上下の段板間の隙間を閉塞し、開口からの物体の落下を防止する機能を有するに過ぎない。
【０００７】
これに対し、特許文献４では段板（踏み板）を上段側の蹴込み板に回転自在に支持させながら、下段側の蹴込み板上に載置し（段落００４０、００４１）、蹴込み板に段板を直接支持する機能と、その変形を防止する機能を与えているため、通常の階段にない特有の問題が発生する。
【０００８】
特許文献４では段板（踏み板）を上段側の蹴込み板への支点回りに回転自在に支持させることで、段板の下に形成される収納部を開閉自在にしているため、繰り返される開閉動作により段板と蹴込み板の接触部分が磨耗、あるいは変形する可能性がある。特に収納部の閉鎖時には段板の背面が蹴込み板の上端に衝突するため、衝突による双方の磨耗や損傷の影響は無視できないと考えられる。磨耗等の結果、時間の経過と共に、収納部の閉鎖状態での段板の安定性が低下することが想像され、安定性の低下に伴い、上段側蹴込み板への支点に損傷を与える可能性もある。
【０００９】
また段板と側板との間には、段板の回転が側板に阻害されないための空隙が確保される必要があり、段板のヒンジ側の蹴込み板には、段板との干渉を回避するための空隙が確保される必要があるが、これらの空隙には埃が溜まり易いため、収納部は常に埃が入り込み得る状態に置かれている。
【００１０】
本発明は上記背景より、階段背面における空間を有効に活用しながら、段板の安定性に影響を与えない形態の収納部付きの階段を提案するものである。
【課題を解決するための手段】
【００１１】
請求項１に記載の収納部付き階段は、側桁に支持される段板を有する階段において、上下に隣接する前記段板間における上段側の段板の下に、外部材から構成される収納部が配置されて前記側桁に支持され、前記収納部がその上段側の前記段板に、その段板との間の間隔を調整する間隔調整材を介して接合されていることを構成要件とする。側桁はささら桁を含む。収納部は１枚（個）、もしくは複数枚（個）の外部材から構成され、側桁には直接、もしくは段板を介して間接的に支持される。
【００１２】
収納部が上下に隣接する段板間における上段側の段板の下に配置されることで、収納部は上下に隣接する段板間単位で形成されるため、収納のための空間の大きさが統一される上、収納部の存在が階段の外観に与える影響も回避される。
【００１３】
また収納部が上下の段板間に形成されることで、収納部はその内部に収納される収納物の出し入れを上下の段板間を通じて行う形態になるため、段板は側桁に固定状態で接合されればよいことになる。この結果、段板を開閉させる必要がなく、開閉させることに起因する段板への磨耗や損傷が回避される。磨耗等の損傷が回避されることは、上下の段板間にフレームが配置される場合（請求項２）と、上下の段板間に蹴込み板が配置される場合（請求項３）にも言える。
【００１４】
請求項２に記載のように上下に隣接する段板間に跨り、側桁に支持されるフレームが配置され、このフレームの背面側に収納部が位置している場合には、収納部に引き出しのような、前板を有する内箱を内蔵させることで（請求項４）、上下の段板間から収納部内への埃等の浸入を防止することが可能になる。
【００１５】
収納部が内箱を内蔵する場合、フレームは収納部の前面側（階段表面側）における内箱と収納部（外部材）との間の隙間を埋める働きをし、内箱の前板がフレームの表面（前面）に接している状態で前板が収納部の蓋になり、収納部への埃の浸入を阻止する。蹴込み板が配置される場合には（請求項３）、蹴込み板の背面にフレームが一体化するため、前板は蹴込み板の表面（前面）に接することで、収納部内への埃等の浸入を阻止する。
【００１６】
フレームは側桁に直接接合される他、側桁に支持されている上下の段板に接合されることにより側桁に間接的に支持されるが、側桁と段板の双方に接合されることもある。
【００１７】
フレームと収納部は独立して側桁に支持されるため、両者は必ずしも互いに接合される必要はないが、両者間の隙間の発生による収納部内への埃等の浸入を防止するために接合されることもある。
【００１８】
収納部は単独で側桁に支持されるため、フレームの背面に単純に接した状態にあるだけでも安定性を確保するが、例えば収納部のフレーム側における埃等の浸入防止効果を高めるために、シール材等を介在させてフレームに接合されることもある。フレームの背面に接する収納部の、フレームの反対側の端面は開放したままでもよいが、埃等の浸入を防止し、収納部の剛性と強度を確保する上では、外部材の端面に裏板が接合され、閉塞させられる。
【００１９】
フレームは上下に隣接する段板の間に配置され、側桁に支持されることで、フレームの背面側に配置される収納部のフレーム側への移動を阻止する働きもする。収納部はフレームとは独立して側桁に支持されるが、フレーム側の端面がフレームに突き当たることで、フレームは収納部の荷重によって収納部の側桁への支持部分に作用し得るモーメントにも抵抗することになる。
【００２０】
フレームはまた、請求項３に記載のように上下に隣接する段板間に跨って蹴込み板が配置された場合には、蹴込み板の背面に一体化することで、蹴込み板を補強する機能を有する。蹴込み板は上下の段板間に跨ることで、前記のように段板間の隙間を閉塞する他、上段側の段板の曲げ変形を防止する働きをするが、この機能は蹴込み板自身が変形しない程度の曲げ剛性を有することにより発揮される。
【００２１】
そこで、蹴込み板の背面に、側桁に支持されるフレームが一体化することで、蹴込み板にフレームの強度と剛性が付与され、段板上の荷重による蹴込み板の安定性が向上する。蹴込み板が上段側段板の底面（下面）に突き当たることにより段板の荷重の一部を負担する場合には、蹴込み板はフレームから剛性と強度が与えられることで、段板の変形を防止し、段板の安定性を高める効果を発揮する。換言すれば、蹴込み板にフレームが一体化することで、フレームが蹴込み板に代わって段板の変形を拘束し、段板を安定させる役目を果たすことになる。
【００２２】
請求項３ではフレームが蹴込み板に代わって段板を支持することで、蹴込み板が段板を支持する必要から解放されるため、収納部に収納された内箱を出し入れするための開口を蹴込み板に形成することの階段設計上の自由度が生まれる。蹴込み板がない場合、内箱は基本的にフレームから出入りし、蹴込み板にフレームが一体化した場合（請求項３）には、蹴込み板から内箱が出入りする。前者の場合、開口はフレームに形成され、後者の場合にはフレームと蹴込み板に開口が形成される（請求項５）。内箱は収納部の、フレームの反対側から出入りすることもある。
【００２３】
請求項５では開口は基本的に内箱の断面に対応した面積で形成されるが、収納部の、内箱を出し入れする側の端面の面積がその反対側の端面の面積以上の大きさであれば、内箱の出し入れが可能である。フレーム、またはフレームと蹴込み板には収納部に配置される内箱の数に応じた１個、もしくは複数個の開口が形成される。
【００２４】
内箱をフレーム側から出し入れする場合、内箱のフレーム側の端面には内箱の内部を区画する前板が接合される。この前板が請求項６に記載のように内箱の、フレーム側の端面に、フレームの開口を閉塞するように接合されていれば、前板を、内箱を収納部内に収納するときのストッパとして機能させることができるため、内箱の出し入れ作業を円滑に行うことが可能になる。蹴込み板にフレームが一体化した場合（請求項３）には、前板は蹴込み板の開口を閉塞するように内箱に接合される。
【００２５】
内箱の前板は内箱の収納状態でフレームや蹴込み板の開口を塞ぐことで、フレームや蹴込み板の表面（前面）に重なり、階段表面側への隙間の露出をなくすため、階段の外観（見栄え）を向上させる役目も持つ。
【００２６】
フレームに内箱用の開口が形成される場合（請求項５）、フレームの開口を除いた残りの縦部分である縦枠部は上下の段板間で支柱として機能し、横部分である横枠部は縦枠部をつなぐ役目を持つため、縦枠部と横枠部は共に一定以上の幅を有する必要がある。フレームが段板を支持することによる段板の変形拘束効果はフレームの長さ方向両側と中央部分に縦枠部を残して開口が形成されることが合理的であるが、必ずしもその必要はない。
【００２７】
例えば収納部の全高に亘って内箱を収納した場合において、収納部を上段側の段板に直接接合するとすれば、フレームにおける開口の上端の縁を上段側段板の下面に接近させることになる関係から、フレームの上側の横枠部に一定の幅を与えることができなくなる。そこで、収納部をその上段側の段板に、その段板との間の間隔を調整する間隔調整材を介して接合することにより、収納部の位置が上段側の段板より下がり、フレームにおける開口上端の縁の位置を下げることができるため、フレームの上側の横枠部に一定の幅を与えることが可能になる。
【００２８】
間隔調整材は上段側の段板の下面（底面）と収納部（最上部の外部材）の上面に接触、もしくは密着した状態で、収納部と共に上段側の段板に接合されるため、段板への接合状態での収納部の安定性を確保し、収納部のがたつきや振動を防止する機能も有する。間隔調整材はフレームの背面にも接触（密着）するため、予め収納部の上側に固定されていれば、収納部の段板への接合時に、間隔調整材をフレームに接触させることで、位置決めの手掛かりとしても利用可能になる。
【００２９】
外部材は単一で、または複数組み合わせられることにより空間としての収納部の形態を維持する剛性と強度を確保する。外部材は上段側の段板、または上下の段板間に配置されるフレームに接合されることにより側桁に間接的に支持される他、側桁に接合されることにより側桁に直接支持される。
【００３０】
収納部は基本的には箱形等の筒形に形成されるが、収納部の形態は任意であり、角錐台形その他の形状にも形成される。収納部が箱形に形成される場合には、平板状の上下の外部材と側面の外部材から箱形に組み立てられる。外部材はこの他、屈曲、もしくは湾曲した形状、あるいは筒状に閉じた形状の場合もある。
【００３１】
段板が側桁の背面から突出しない状態に、全幅に亘って側桁に支持された場合、段板と蹴込み板の背面側の、側桁に挟まれた領域に直角三角柱状の空間が形成される。この三角柱状の空間は階段の使用上、無駄な空間となるが、この空間が請求項１では収納部の一部を構成するために利用されるため、階段背面に収納部を形成しながらも、その体積（容積）を最小に留めることが可能になる。
【００３２】
収納部が前記の空間内に納まる大きさであれば、階段の背面側への突出が一切ないため、階段背面（階段下）の開放した空間を階段とは分離した別の収納空間としても利用可能になる。突出があっても、収納部の奥行き（段板の幅方向の長さ）が段板の幅程度に留まるか、前記裏板が階段の傾斜に平行になれば、突出による階段背面への影響は最小に抑えられる。
【００３３】
特許文献４のように段板の下に確保される収納部を側桁に固定状態で支持させる場合には（段落００４２）、収納部を側桁の幅の範囲内に納める必要があるため、階段は見かけ上、１段に付き、２枚の段板を幅方向に配列させた形になる。この結果、階段の勾配をθとしたとき、段板の幅に収納部の幅を加えた大きさのsinθ分の幅（高さ）を側桁に与える必要があり、側桁の寸法、並びに質量が大きくなる。
【００３４】
これに対し、本願請求項１のように収納部を側桁に支持させる場合には、階段が収納部を有しながらも、収納部は前記の通り、段板と蹴込み板の背面側の空間を利用して形成されることで、側桁は収納部がない場合と同じ幅を持てばよいため、側桁の寸法と質量を増大させることはない。
【発明の効果】
【００３５】
収納部を上下の段板間に配置するため、収納部内に収納される収納物の出し入れを上下の段板間を通じて行うことができる。この結果、段板を開閉させる必要がないため、段板の開閉に起因する磨耗や損傷を回避することができ、段板の安定性を維持することができる。
【発明を実施するための最良の形態】
【００３６】
以下、図面を用いて本発明を実施するための最良の形態を説明する。
【００３７】
図１は側桁１に支持される段板２を有する階段において、上下に隣接する段板２、２間における上段側の段板２の下に、外部材６から構成される収納部５が配置され、側桁１に支持されている収納部付き階段の具体例を示す。側桁１は段板２の両側に配置され、段板２はその長さ方向の両側において側桁１、１に支持される。
【００３８】
図面では上下に隣接する段板２、２間に蹴込み板３が配置され、蹴込み板３の背面に、側桁１に支持されるフレーム４が一体化した階段を示しているが、上下の段板２、２間に収納部５を配置する上では、蹴込み板３とフレーム４は必ずしも必要ではない。蹴込み板３とフレーム４は主に収納部５内への埃等の浸入防止と、段板２の変形防止、並びに階段表面側の外観（見栄え）をよくするために段板２、２間に付加され、フレーム４は蹴込み板３に対し、その補強のために付加される。
【００３９】
段板２の側桁１への固定方法は問われないが、段板２は例えば側桁１の外側から側桁１を貫通し、段板２に到達する釘１０やねじ１１等により固定される。側桁１の段板２を支持する部分には段板２の端部が入り込む溝が形成されることもある他、側桁１自体を段板２と蹴込み板３に沿って切り欠き、ささら桁にすることもある。
【００４０】
収納部５は側桁１、１に挟まれた、段板２の下の空間に配置されることから、空間を最大限に確保する意味では、図１に示すように段板２は全幅に亘って側桁１に支持されることが適切であるが、段板２の幅方向の背面側の端部が側桁１から突出することもある。収納部５は全段板２の内、少なくとも一部の段板２の下に配置される。
【００４１】
蹴込み板３は図１に示すように上下の段板２、２間に跨って双方に接合される。図面では上段側の段板２の底面に形成された溝２ａに蹴込み板３の上端部を差し込み、下段側の段板２の側面に蹴込み板３の下端部を重ね、釘１０やねじ１１等により接合しているが、この方法には限られず、蹴込み板３の下端部を下段側の段板２の上面の溝に差し込むこともある。図面ではまた、図４−（ａ）に示すように蹴込み板３の長さ方向の両端部を、これに一体化するフレーム４から突出させ、蹴込み板３の長さ方向の両端部を側桁１、１に差し込んでいる。
【００４２】
図４、図５は蹴込み板３の背面にフレーム４が接合された様子を示す。ここではフレーム４が側板１に直接、接合されず、段板２に接合される場合の蹴込み板３とフレーム４の関係を示している。フレーム４は蹴込み板３の全面から、段板２と側桁１内に差し込まれる部分を除いた領域に相当する面積を持ち、蹴込み板３にはその段板２と側桁１への差し込み部分以外の領域に重なって接合される。図４−（ａ）中、フレーム４から張り出した蹴込み板３の上側の縁部分が段板２への差し込み部分を、両側の縁部分が側桁１、１への差し込み部分を示している。
【００４３】
フレーム４の蹴込み板３への接合には主に釘１０やねじ１１等が使用されるが、蹴込み板３は段板２上の荷重を負担する必要がないため、接着剤１２のみによっても接合される。図４、図５はフレーム４が接着剤１２により蹴込み板３に仮に接合された状態を示す。この仮接合の状態で、フレーム４と蹴込み板３は図３−（ａ）に示すように両者を貫通する釘１０やねじ１１等により上下の段板２、２に接合される。
【００４４】
図３−（ｂ）、図５−（ｂ）はフレーム４が接合された蹴込み板３を上下の段板２、２間に配置し、フレーム４と蹴込み板３を両段板２、２に接合した状態の階段背面側の様子を示す。
【００４５】
フレーム４は直接、もしくは段板２を介して間接的に側桁１に支持されることで、収納部５を支持するため、上下の段板２、２にはフレーム４のみが接合されれば足りる。図面では蹴込み板３を上段側の段板２中に差し込むことで、蹴込み板３に段板２の変形を抑制する働きをさせているため、フレーム４と蹴込み板３を貫通する釘１０等により両者を上下の段板２、２に接合している。図５−（ｂ）では上段側の段板２への接合に釘１０を用い、下段側の段板２への接合にねじ１１を使用している。
【００４６】
フレーム４は１枚の板からなる場合には、内箱９が出入りするための開口４１が形成された形状をし、開口４１の形成によって並列する縦枠部４ａと横枠部４ｂを有する形状をする。開口４１はフレーム４に、収納部５内に配置される内箱９の個数分、形成される。フレーム４はまた、縦枠部４ａと横枠部４ｂになる複数本の枠材を例えば日の字形に組み立てることによっても形成される。
【００４７】
図面では上下の段板２、２間に１枚のフレーム４を配置し、１枚のフレーム４の背面に２個の内箱９、９（収納部５、５）を配置していることから、フレーム４に２個の開口４１、４１を形成しているが、図示する内箱９のほぼ２倍の幅を持つ１個の内箱９を配置することもある。その場合、フレーム４には内箱９の幅に対応した幅を持つ１個の開口４１が形成されるが、段板２の曲げ変形を拘束する中央部の縦枠部４ａが不在になるため、段板２にはフレーム４の支持がなくても曲げ変形しない程度の板厚が与えられ、さらし階段仕様の段板２が使用される。
【００４８】
フレーム４の背面に２個以上の内箱９、９が配置された場合にはまた、フレーム４はその内箱９の個数分に分割されることもある。例えば図示するように２個の内箱９、９が配置される場合に、フレーム４が中央の縦枠部４ａの位置で２分割されることもある。その場合、１枚のフレーム４は１個の開口４１を有し、長さ方向両側に縦枠部４ａを有する形になる。
【００４９】
フレーム４は縦枠部４ａと横枠部４ｂによって上段側の段板２を支持しながら、１枚（個）、もしくは複数枚（個）の外部材６からなる収納部５を保持し得る剛性と強度を保有する必要があるため、縦枠部４ａと横枠部４ｂには一定寸法以上の幅が与えられる。フレーム４の中間部の縦枠部４ａは上段側の段板２の長さ方向中間部を支持する働きをするため、フレーム４の長さ方向中央部に位置することが適切である。
【００５０】
複数の外部材６、すなわち収納部５は図７に示すように裏板７と共に予め箱形等に組み立てられた状態で、フレーム４に突き合わせられる。収納部５はフレーム４の背面に単に突き合わせられればよく、フレーム４には必ずしも接合されない。蹴込み板３の背面側の空間を有効に活用する上では、図示するように収納部５、すなわち複数の外部材６を四角柱状に組み立てることが合理的であるが、収納部５の形状は任意である。
【００５１】
収納部５を四角柱状に形成する場合、収納部５は４枚の外部材６と、１枚の裏板７から構成される。収納部５の上側に位置する外部材６の上面を上段側の段板２の下面に接触させることもできるが、図面では上側の横枠部４ｂの幅を確保するために、上段側の段板２と上側の外部材６との間に間隔調整材（スペーサ）８を介在させている。前記のようにフレーム４の横枠部４ｂはフレーム４の背面に配置された収納部５が上段側の段板２に接合されたときに、一定寸法以上の幅を有する必要があることによる。
【００５２】
間隔調整材８の形状は問われず、図１に示すような１枚の板状に形成される他、複数のブロックから構成されることもある。間隔調整材８は上側の外部材６と上段側の段板２との間に介在することで、収納部５を安定させて段板２に支持させる機能も有する。
【００５３】
間隔調整材８を介在させる場合、間隔調整材８は例えば図１に示すように上側の外部材６と間隔調整材８自身を貫通し、上段側の段板２に到達する釘１０やねじ１１等によって段板２に接合される。この場合、収納部５も同時に段板２に接合され、間接的に側桁１に支持される。図６、図７は間隔調整材８の段板２への接合に先立ち、間隔調整材８を上側の外部材６に予め接着剤１２等により接合した様子を示す。
【００５４】
間隔調整材８を介在させない場合も、収納部５は同様に段板２に接合され、側桁１に支持される。外部材６と間隔調整材８を段板２に接合する釘１０の打ち込み作業やねじ１１の締め付け作業は、図１、図６に示すように収納部５を構成する下側の外部材６に作業用の開口６１を形成しておくことにより可能になる。
【００５５】
収納部５の質量が大きくなることが想定される場合には、例えば図１において各間隔調整材８の上側に位置する段板２の側面に接合されるフレーム４の下端に接触するまで、間隔調整材８の幅を大きくし、上側の外部材６と間隔調整材８を貫通する釘１０やねじ１１を上側のフレーム４に到達させることもできる。
【００５６】
収納部５には図６〜図８に示すように収納物を出し入れするための内箱（引き出し）９が出入り自在に収納される。この内箱９を蹴込み板３の表面から出し入れするために、蹴込み板３には内箱９の断面に対応した大きさの開口３１が形成される。開口３１は蹴込み板３の背面に一体化するフレーム４の開口４１に対応した位置に、開口４１と同一の大きさで形成されればよい。
【００５７】
内箱９は図６、図７に示すように収納部５の形態に応じ、容器形に形成される。収納部５が箱形の場合、内箱９は底板９１と、その上で幅方向に対向する側板９２、９２と、収納部５の裏板７に対向する後板９３と、後板９３に長さ方向に対向する前板９４から、例えば収納部５に内接し得る大きさで組み立てられる。収納部５の内周に内箱９を摺動させるためのレールが形成、もしくは突設される場合には、内箱９の外周面と収納部５の内周面との間に空隙が確保される。
【００５８】
前板９４は収納部５の内部、または内箱９の内部への埃等の浸入を阻止する機能を持つことから、図１、図２、図７に示すように前板９４の縁部分が蹴込み板３の表面側に重なる（重なり代を有する）大きさで形成されることが適切である。
【００５９】
図６、図７では１個の内箱９を１個の収納部５内に収納していることに対応し、フレーム４の背面に内箱９の数分である２個の収納部５、５を配置しているが、フレーム４の背面に１個の収納部５を配置し、その内部に複数個の内箱９を収納することもある。
【００６０】
図８、図９は収納部付き階段の完成状態を示す。内箱９は底板９１と側板９２の少なくともいずれか一方が収納部５の内周に摺動しながら、またはレールに案内されながら、出し入れされる。内箱９の引き出し状態で、前板９４の下端が下段側の段板２の上面に接触する可能性がある場合には、前板９４と段板２の磨耗や損傷を防止するために、前板９４が段板２から浮いた状態で出入りできるよう、内箱９の垂れ下がりが拘束される。
【００６１】
図９は内箱９の収納部５への格納状態を示す。ここに示すように内箱９の格納状態では前板９４が蹴込み板３（フレーム４）の、開口３１（４１）回りの表面に密着するため、階段が内箱９付きの収納部５を備えながらも、表面上は収納部５がない様子に見え、収納部付き階段は整然とした外観を呈することが分かる。
【００６２】
図１０は内箱９付きの収納部５を回り階段に設置したときの平面を示す。引き出し型の内箱９は基本的に蹴込み板３（フレーム４）に直交する方向に出し入れされることから、回り階段においては、原則として側桁１に垂直な方向を向く蹴込み板３の背面側に収納部５が配置される。直線階段の場合には、任意の、または全蹴込み板３の背面側に配置される。
【００６３】
図１０の場合、側桁１に垂直でない蹴込み板３のある部分、すなわち階段内で回り込む部分においては、破線で示すように複数枚の段板２の背面側の空間を１個の収納部５として利用することができるため、側桁１に垂直な蹴込み板３の収納部５より収納部５の奥行きを大きく取ることが可能である。なお、側桁１に垂直でない蹴込み板３の背面においても、その奥行きの大きさに応じて段板２毎に収納部５を配置することは可能である。
【図面の簡単な説明】
【００６４】
【図１】収納部付き階段の構成例を示した階段の中心を通る縦断面図である。
【図２】図１のＡ−Ａ線断面図である。
【図３】（ａ）は段板へのフレームの固定要領を示した縦断面図、（ｂ）は（ａ）の背面図である。
【図４】（ａ）は蹴込み板にフレームを一体化させた様子を示したフレーム側の立面図、（ｂ）は（ａ）のＢ−Ｂ線断面図である。
【図５】（ａ）はフレームが一体化した蹴込み板を示した斜視図、（ｂ）は（ａ）の蹴込み板を側桁間に設置した様子を示した階段背面側の斜視図である。
【図６】収納部と内箱の関係を示した斜視図である。
【図７】フレームが一体化した蹴込み板の背面に２個の収納部を配置した場合の、収納部と内箱の関係を示した斜視図である。
【図８】図７に示す収納部と内箱を階段中に設置し、内箱を引き出したときの様子を示した斜視図である。
【図９】図７に示す収納部と内箱を階段中に設置し、内箱を収納部内に格納したときの様子を示した斜視図である。
【図１０】内箱付きの収納部を回り階段に設置したときの様子を示した平面図である。
【符号の説明】
【００６５】
１……側桁
２……段板、２ａ……溝
３……蹴込み板、３１……開口
４……フレーム、４ａ……縦枠部、４ｂ……横枠部、４１……開口
５……収納部
６……外部材、６１……開口
７……裏板
８……間隔調整材
９……内箱、９１……底板、９２……側板、９３……後板、９４……前板
１０…釘
１１…ねじ
１２…接着剤
【要約】
【課題】階段背面における空間を有効に活用する収納部付きの階段を構成する上で、階段自体の安定性と損傷に与える影響を回避する。
【解決手段】側桁１に支持される段板２を有する階段において、上下に隣接する段板２、２間における上段側の段板２の下に、外部材６から構成される収納部５を配置し、側桁１に支持させる。
上下に隣接する段板２、２間に跨り、側桁１に支持されるフレーム４を配置し、このフレーム４の背面側に収納部５を位置させる。
上下に隣接する段板２、２間に跨って蹴込み板３を配置し、この蹴込み板３の背面にフレーム４を一体化させる。
【選択図】図１【図１】
0004038526.tif 000002
【図２】
0004038526.tif 000003
【図３】
0004038526.tif 000004
【図４】
0004038526.tif 000005
【図５】
0004038526.tif 000006
【図６】
0004038526.tif 000007
【図７】
0004038526.tif 000008
【図８】
0004038526.tif 000009
【図９】
0004038526.tif 000010
【図１０】
0004038526.tif 000011